(57)【要約】【課題】結束バンドとこれが固定されている部材との間に狭い隙間しかない場合でも容易に結束バンドの切断予定位置に設置でき、しかも小さな操作力で所定の切断作業を行うことができる結束バンドの切断工具を提供する。【解決手段】先端部の内面側に切断対象である結束バンドを切断するための第１の刃部を有するレバー部１１と、前記結束バンドとこの結束バンドが固定されている部材との間の隙間に挿入可能に形成され、レバー部１１の前記第１の刃部よりも先端側でヒンジ部１２を介してレバー部１１に回動可能に連結されるとともに、前記第１の刃部との間に前記結束バンドを挟持して剪断するための第２の刃部を有するロッド状の基台１３とを有する。【選択図】  図１
2012125856.tif 000002
【特許請求の範囲】
【請求項１】
先端部の内面側に切断対象である結束バンドを切断するための第１の刃部を有するレバー部と、
前記結束バンドとこの結束バンドが固定されている部材との間の隙間に挿入可能に形成され、前記レバー部の前記第１の刃部よりも先端側でヒンジ部を介して前記レバー部に回動可能に連結されるとともに、前記第１の刃部との間に前記結束バンドを挟持して剪断するための第２の刃部を有するロッド状の基台とを有することを特徴とする結束バンドの切断工具。
【請求項２】
請求項１に記載する結束バンドの切断工具において、
前記基台の軸方向に移動可能に、しかも前記第１および第２の刃部を覆うように前記基台に取付けられた切断部ガードと、
前記基台の一方の側面側から前記レバー部側に伸び、前記レバー部の外面の外側を通って前記基台の他方の側面側に至るコ字状の部材として前記切断部ガードの先端に一体的に固着された開口調整部とを有することを特徴とする結束バンドの切断工具。
【請求項３】
請求項１または請求項２に記載する結束バンドの切断工具において、
前記第１の刃部は前記レバー部から前記基台に向かって突出する第１の段部を有するとともに、前記第２の刃部は前記第１の段部との間に挟持される前記結束バンドを切断するための剪断力を付与するような前記第１の段部に対する逆形状の第２の段部を有するものであることを特徴とする結束バンドの切断工具。
【請求項４】
請求項１または請求項２に記載する結束バンドの切断工具において、
前記第１の刃部は前記レバー部から前記基台に向かって突出する凸部を有するとともに、前記第２の刃部は前記凸部との間に挟持される前記結束バンドを切断するための剪断力を付与するような前記凸部に対する逆形状の凹部を有するものであることを特徴とする結束バンドの切断工具。
【請求項５】
請求項３または請求項４に記載する結束バンドの切断工具において、
前記第１の刃部には、切断時の反力で基台側からレバー部側に跳ね上がる結束バンドを当接させてその位置を規制する跳ね上がり防止部が、前記レバー部の回動面から突出する方向に形成されていることを特徴とする結束バンドの切断工具。
【請求項６】
請求項１〜請求項５の何れか一項に記載する結束バンドの切断工具において、
前記基台の前記レバー部に対向する側である内側の基端部には基端に向かって傾斜するテーパ部が形成されていることを特徴とする結束バンドの切断工具。
【請求項７】
交差させた２本のロッド状部材の途中をヒンジ部で回動可能に支持してなり、前記各ロッド状部材の先端部にそれぞれ刃部を有するとともに基端部が把持部となっているペンチ状工具の前記把持部の一方に、請求項１〜請求項６の何れか一項に記載する結束バンドの切断工具のレバー部が軸方向に引き出し可能に収納されていることを特徴とする結束バンドの切断工具。
【発明の詳細な説明】
【技術分野】
【０００１】
本発明は結束バンドの切断工具に関し、特に電柱の外周面に巻回されて接地線の保護パイプや標識等を結束しているステンレスバンドの切断に適用して有用なものである。
【背景技術】
【０００２】
図６に示すように電柱１には、例えば接地線の保護パイプ２が結束バンドの一種であるステンレスバンド３で締め付け固定してある。かかる固定は保護パイプ２に外側からステンレスバンド３の内周面を当接させてステンレスバンド３を電柱１の外周面に巻回し、その両端部を連結部３Ａで連結することにより行っている。したがって、通常ステンレスバンド３はその内周面が電柱１の外周面に密着した状態で固定されている。
【０００３】
一方、保護パイプ２の取替え時等、ステンレスバンド３による保護パイプ２の固定を解除してやる必要がある場合がある。この場合には、ステンレスバンド３を切断せざるを得ない。
【０００４】
従来、かかる切断作業はペンチ等の工具を用いて行っている。すなわち、図７に示すように、保護パイプ２の近傍部分に形成された電柱１の外周面とステンレスバンド３の内周面との間に形成された僅かな隙間にペンチ４の刃部４Ａを挿入し、作業員がその手５で２本の把持部４Ｂ間の距離を詰めるように操作している。
【０００５】
かかる切断作業においては電柱１側の把持部４Ｂを操作するため手５の指を電柱１側の把持部４Ｂと電柱１の外周面との間の狭い空間に挿入する必要があることとも相俟って切断作業にかなりの握力を必要とし、その分困難な作業となっている。
【０００６】
なお、この種の切断工具として他にもニッパーや特許文献１に開示する切断工具が用いられている。
【先行技術文献】
【特許文献】
【０００７】
【特許文献１】特開２００２−１１９７７８号公報
【発明の概要】
【発明が解決しようとする課題】
【０００８】
ところが、ニッパーや特許文献１に開示する切断工具もペンチと同様に、ステンレスバンド３の切断作業に際しては、その刃部を電柱１の外周面とステンレスバンド３の内周面との間に形成された僅かな隙間に挿入するとともに、電柱１側の把持部を操作するため作業者の手の指を電柱１側の把持部と電柱１の外周面との間の狭い空間に挿入する必要がある。このため、切断作業がやりにくく、また切断にかなりの握力を必要とする。
【０００９】
本発明は、上記従来技術の問題点に鑑み、結束バンドとこれが固定されている部材との間に狭い隙間しかない場合でも容易に結束バンドの切断予定位置に設置でき、しかも小さな操作力で所定の切断作業を行うことができる結束バンドの切断工具を提供することを目的とする。
【課題を解決するための手段】
【００１０】
本発明の第１の態様は、先端部の内面側に切断対象である結束バンドを切断するための第１の刃部を有するレバー部と、前記結束バンドとこの結束バンドが固定されている部材との間の隙間に挿入可能に形成され、前記レバー部の前記第１の刃部よりも先端側でヒンジ部を介して前記レバー部に回動可能に連結されるとともに、前記第１の刃部との間に前記結束バンドを挟持して剪断するための第２の刃部を有するロッド状の基台とを有することを特徴とする結束バンドの切断工具にある。
【００１１】
本発明の第２の態様は、第１の態様に記載する結束バンドの切断工具において、前記基台の軸方向に移動可能に、しかも前記第１および第２の刃部を覆うように前記基台に取付けられた切断部ガードと、前記基台の一方の側面側から前記レバー部側に伸び、前記レバー部の外面の外側を通って前記基台の他方の側面側に至るコ字状の部材として前記切断部ガードの先端に一体的に固着された開口調整部とを有することを特徴とする結束バンドの切断工具にある。
【００１２】
本発明の第３の態様は、第１または第２の態様に記載する結束バンドの切断工具において、前記第１の刃部は前記レバー部から前記基台に向かって突出する第１の段部を有するとともに、前記第２の刃部は前記第１の段部との間に挟持される前記結束バンドを切断するための剪断力を付与するような前記第１の段部に対する逆形状の第２の段部を有するものであることを特徴とする結束バンドの切断工具にある。
【００１３】
本発明の第４の態様は、第１または第２の態様に記載する結束バンドの切断工具において、前記第１の刃部は前記レバー部から前記基台に向かって突出する凸部を有するとともに、前記第２の刃部は前記凸部との間に挟持される前記結束バンドを切断するための剪断力を付与するような前記凸部に対する逆形状の凹部を有するものであることを特徴とする結束バンドの切断工具にある。
【００１４】
本発明の第５の態様は、第３または第４の態様に記載する結束バンドの切断工具において、前記第１の刃部には、切断時の反力で基台側からレバー部側に跳ね上がる結束バンドを当接させてその位置を規制する跳ね上がり防止部が、前記レバー部の回動面から突出する方向に形成されていることを特徴とする結束バンドの切断工具にある。
【００１５】
本発明の第６の態様は、第１〜第５の態様の何れか一つに記載する結束バンドの切断工具において、前記基台の前記レバー部に対向する側である内側の基端部には基端に向かって傾斜するテーパ部が形成されていることを特徴とする結束バンドの切断工具にある。
【００１６】
本発明の第７の態様は、交差させた２本のロッド状部材の途中をヒンジ部で回動可能に支持してなり、前記各ロッド状部材の先端部にそれぞれ刃部を有するとともに基端部が把持部となっているペンチ状工具の前記把持部の一方に、第１〜第６の態様の何れか一つに記載する結束バンドの切断工具のレバー部が軸方向に引き出し可能に収納されていることを特徴とする結束バンドの切断工具にある。
【発明の効果】
【００１７】
本発明によれば、切断対象である結束バンドとこれが固定されている部材との間に基台を容易に挿入することができ、このように基台を挿入した状態でレバー部を基台側に回動することにより第１の刃部と第２の刃部との間に結束バンドを挟持してこれに剪断力を作用させることができる。この結果、作業者はレバー部を結束バンド側に押すだけで容易に所定の切断作業を行うことができる。したがって、所定の切断作業の作業効率を飛躍的に向上させることができる。
【図面の簡単な説明】
【００１８】
【図１】本発明の第１の実施の形態に係る結束バンドの切断工具（通常時の態様）を示す図で、（ａ）はその側面図、（ｂ）は平面図、（ｃ）は切断部ガードおよび開口調整部を一体的に抽出して示す拡大側面図、（ｄ）は（ｃ）の背面図、（ｅ）は（ａ）のＡ−Ａ′線拡大断面図、（ｆ）は他の例に係る基台部分の端部を抽出して示す拡大図である。
【図２】本発明の第１の実施の形態に係る結束バンドの切断工具（使用時の態様）を示す図で、（ａ）は図１（ａ）に対応する側面図、（ｂ）は図１（ｅ）に対応する拡大断面図である。
【図３】本発明の第２の実施の形態に係る結束バンドの切断工具の一部を抽出して示す図で、（ａ）は図１（ｅ）に対応する状態の拡大断面図、（ｂ）は図２（ｂ）に対応する状態の拡大断面図である。
【図４】本発明の第１または第２の実施の形態に係る切断工具で電柱に固定されたステンレスバンドを切断する場合の使用態様を概念的に示す説明図である。
【図５】本発明の第３の実施の形態を示す側面図である。
【図６】電柱にステンレスバンドを用いて保護パイプを固定する場合の態様を概念的に示す説明図である。
【図７】従来におけるステンレスバンドの切断作業時の態様を概念的に示す説明図である。
【発明を実施するための形態】
【００１９】
以下、本発明の実施の形態を図面に基づき詳細に説明する。
【００２０】
＜第１の実施の形態＞
図１は本発明の第１の実施の形態に係る結束バンドの切断工具（通常時の態様）を示す図であり、図１（ａ）はその側面図、（ｂ）その平面図である。両図に示すように、レバー部１１は先端部の内面側に結束バンドであるステンレスバンド３（図６、図７参照；以下同じ）を切断するための第１の刃部（図１（ａ）、（ｂ）には図示せず）を有するロッド状の部材であり、先端部のヒンジ部１２を介して基台１３と回動可能に連結されている。基台１３は、ステンレスバンド３とこのステンレスバンド３が固定されている部材である電柱１（図６、図７参照；以下同じ）との間の隙間に挿入可能に形成され、前記第１の刃部との間にステンレスバンド３を挟持して剪断するための第２の刃部（図１（ａ）、（ｂ）には図示せず）を有するロッド状の部材である。切断部ガード１４は基台１３の軸方向に移動可能に、しかも第１および第２の刃部を覆うように基台１３に取付けられており、その先端にはレバー部１１の回動量を規制する開口調整部１５が一体的に固着されている。ここで、図１（ｃ）、（ｄ）を追加して切断部ガード１４、開口調整部１５をさらに詳細に説明する。
【００２１】
図１（ｃ）は切断部ガードおよび開口調整部を一体的に抽出して示す拡大側面図、図１（ｄ）は図１（ｃ）の背面図である。両図に示すように、切断部ガード１４はその内側が基台１３の両側面にそれぞれ相対向するように配置されており、基台１３の軸方向（図１（ｃ）の左右方向）に伸びて開口調整部１５に至る突起部１４Ａを有している。切断部ガード１４は突起部１４Ａを介して基台１３の軸方向に移動可能に形成されているが、この点に関しては後に詳述する。開口調整部１５は基台１３の一方の側面側からレバー部１１側に伸び、レバー部１１の外面の外側を通って基台１３の他方の側面側に至るコ字状（図１（ｄ）参照）の部材である。かかる開口調整部１５の水平部１５Ａの内側面にレバー部１１の外面が当接することにより、ヒンジ部１２を回動中心とするレバー部１１の回動量が規定される。したがって、レバー部１１の回動量は切断部ガード１４と一体となった開口調整部１５の基台１３における位置により変化する。すなわち、開口調整部１５が基台１３の先端側（図１（ａ）中左側）に位置する程、レバー部１１の回動量を大きくすることができる。
【００２２】
図１（ｅ）は図１（ａ）のＡ−Ａ′線拡大断面図である。同図に示すように、第１の刃部１６はレバー部１１から基台１３に向かって突出する第１の段部１６Ａを有するとともに、第２の刃部１７は第１の段部１６Ａとの間に挟持されるステンレスバンド３を切断するための剪断力を付与するような第１の段部１６Ａに対する逆形状の第２の段部１７Ａを有する。ここで、第１の刃部１６には、切断時の反力で基台１３側からレバー部１１側に跳ね上がるステンレスバンド３を当接させてその位置を規制する跳ね上がり防止部１８（図２（ｂ）参照）が、レバー部１１の回動面から突出する方向（図３における水平方向）に形成されている。また、基台１３の両側面にはその軸方向に伸びる溝１３Ａが形成してあり、溝１３Ａに突起部１４Ａを嵌め込むことにより、切断部ガード１４および開口調整部１５が一体となって基台１３に取り付けられる。
【００２３】
図１（ｆ）に示すように、基台１３のレバー部１１に対向する側である内側の基端部には基端に向かって傾斜するテーパ部１３Ｂを形成しても良い。かかるテーパ部１３Ｂを形成した場合には基台１３をステンレスバンド３と電柱１との間の隙間に挿入して行うステンレスバンド３の切断作業の際の前記隙間への基台１３の挿入作業が容易になる。
【００２４】
かかる切断工具Ｉを用いるステンレスバンド３の切断作業に際しては、図１（ａ）に対応させた図２（ａ）および図１（ｅ）に対応させた図２（ｂ）に示すように、切断部ガード１４および開口調整部１５を一体的に基台１３の先端側に移動させてレバー部１１を基台１３側と反対側（反時計方向）に回動することにより第１の刃部１６と第２の刃部１７との間を充分開く。かかる状態で第１の刃部１６と第２の刃部１７との間にステンレスバンド３を挿入し、レバー部１１を基台１３側（時計方向）に回動することにより段部１６Ａ，１７Ａを介してステンレスバンド３に剪断力を付与することにより切断する。また、ステンレスバンド３の切断時の反力による跳ね上がりも跳ね上がり防止部１８で有効に防止することができる。
【００２５】
＜第２の実施の形態＞
図３は本発明の第２の実施の形態に係る結束バンドの切断工具の一部を抽出して示す図で、（ａ）は図１（ｅ）に対応する状態の拡大断面図、（ｂ）は図２（ｂ）に対応する状態の拡大断面図である。両図に示すように、本形態では第１の実施の形態に対し第１および第２の刃部１６，１７の形状が異なる。すなわち、本形態における第１の刃部２６はレバー部１１から基台１３に向かって突出する凸部を有している。一方、第２の刃部２７は前記凸部との間に挟持されるステンレスバンド３を切断するための剪断力を付与するような前記凸部に対する逆形状の凹部を有する。すなわち、凸部と凹部とにそれぞれ２箇所づつ形成される段部２６Ａと段部２７Ａとの間でステンレスバンド３を挟持して剪断力を付与するようになっている。ここで、第１の刃部２６には、切断時の反力で基台１３側からレバー部１１側に跳ね上がるステンレスバンド３を当接させてその位置を規制する跳ね上がり防止部２８が、レバー部１１の回動面から突出する方向（図３における水平方向）に形成されている。なお、第１および第２の刃部２６，２７部分以外の他の部分は第１の実施の形態と全く同じ構成である。そこで、同一部分には同一番号を付し、重複する説明は省略する。
【００２６】
かかる本形態の切断装置の場合も第１の実施の形態と同様の態様で所定の切断作業を行うことができる。この際、本形態では第１および第２の刃部２６，２７の段部２６Ａ，２７Ａで形成する剪断点が対称に２箇所に形成されるので、その分ステンレスバンド３に均等に剪断力が作用する結果、第１の実施の形態よりも剪断力の偏りを生起することなく円滑な切断作業を行うことができる。また、ステンレスバンド３の切断時の反力による跳ね上がりも跳ね上がり防止部２８で有効に防止することができる。
【００２７】
＜第１および第２の実施の形態の使用態様＞
図４は本発明の第１または第２の実施の形態に係る切断工具で電柱に固定されたステンレスバンドを切断する場合の使用態様を概念的に示す説明図である。同図に示すように、かかる切断作業に際しては、切断工具Ｉの基台１３を電柱１とステンレスバンド３との間に挿入し、その後レバー部１１をステンレスバンド３側に押して回動させることにより簡単にステンレスバンド３を切断することができる。
【００２８】
＜第３の実施の形態＞
図５は本発明の第３の実施の形態を示す側面図である。同図に示すように、本形態は第１または第２の実施の形態として示す切断工具Ｉを従来のペンチ状工具と一体化したものである。さらに詳言すると、交差させた２本のロッド状部材の途中をヒンジ部３０Ａで回動可能に支持してなり、前記各ロッド状部材の先端部にそれぞれ刃部３０Ｂを有するとともに基端部が把持部３０Ｃとなっているペンチ状工具３０の把持部３０Ｃの一方には軸方向に伸びる穴３０Ｄが形成してあり、この穴３０Ｄに、第１または第２の実施の形態に係る切断工具Ｉのレバー部１１が軸方向に引き出し可能に収納されている（図では引き出された状態を示している）。
【００２９】
本形態によれば、従来のペンチに第１または第２の実施の形態に係る切断工具の機能を兼備させることができる。
【産業上の利用可能性】
【００３０】
本発明は電柱等の部材にステンレスバンド等の結束バンドを用いて看板等を固定する産業分野において有効に利用することができる。
【符号の説明】
【００３１】
１１                            レバー部
１２                            ヒンジ部
１３                            基台
１４                            切断部ガード
１５                            開口調整部
１６，２６                      第１の刃部
１６Ａ，１７Ａ，２６Ａ，２７Ａ  段部
１７，２７                      第２の刃部
３０                            ペンチ状工具
【図１】
2012125856.tif 000003
【図２】
2012125856.tif 000004
【図３】
2012125856.tif 000005
【図４】
2012125856.tif 000006
【図５】
2012125856.tif 000007
【図６】
2012125856.tif 000008
【図７】
2012125856.tif 000009